(57)【要約】【課題】取替部品データのピックアップが容易に可能な取替部品管理具を提供すること。【解決手段】取替部品管理具１は、原子力発電所設備における所定の機器の図面を表示する図面表示部２０と、当該機器で使用されている部品に付された識別情報３２を、図面表示部２０に表示された部品に関連付けて表示する識別情報表示部３０と、識別情報３２と部品の名称とを関連付けて表示する部品情報表示部４０と、機器の複数の部品に対してそれぞれ実施される部品の取替作業を伴う複数の点検作業の内容を表示する保全タスク表示部５０と、を共通の表示領域に配置してなる取替部品管理表１０を備え、保全タスク表示部における点検内容に、複数の点検内容毎に異なる表示態様の識別表示が付されており部品情報表示部４０の部品の名称及び識別情報表示部３０における識別情報に、保全内容に対応した識別表示と同じ表示態様の識別表示が付されている。【選択図】図２
2015055557.tif 000002
【特許請求の範囲】
【請求項１】
原子力発電所設備における複数の部品からなる所定の機器の図面を表示する図面表示部と、
当該機器で使用されている複数の部品にそれぞれ付された識別情報を、前記図面表示部に表示された前記部品に関連付けて表示する識別情報表示部と、
前記識別情報と前記部品の名称とを関連付けて表示する部品情報表示部と、
前記機器の複数の部品に対してそれぞれ実施される部品の取替作業を伴う複数の点検内容を表示する保全タスク表示部と、を共通の表示領域に配置してなる印刷物を備え、
前記保全タスク表示部における前記点検内容に、複数の保全内容毎に異なる表示態様の識別表示が付されており、
前記部品情報表示部における前記部品の名称に、当該部品の名称の部品に対応する前記保全タスク表示部に表示された前記点検内容に付された識別表示と同じ表示態様の識別表示が付されており、
前記識別情報表示部における前記識別情報に、当該識別情報に関連付けられた前記部品の名称に付されている識別表示と同じ表示態様の識別表示が付されていることを特徴とする取替部品管理具。
【請求項２】
前記識別表示は、色分けした表示態様であることを特徴とする請求項１記載の取替部品管理具。
【請求項３】
前記機器の部品の名称に、部品の発注に必要なデータを関連付けてなる点検部品交換リストを表示する印刷物を更に備えることを特徴とする請求項１又は２記載の取替部品管理具。
【発明の詳細な説明】
【技術分野】
【０００１】
本発明は、原子力発電所の設備における取替部品の管理に用いる取替部品管理具に関する。
【背景技術】
【０００２】
従来、原子力発電設備における機器分解点検に先立ち、取替部品を予めリストアップした購入書類を作成して部品の発注を行い、分解点検に必要な部品を揃えておく必要がある。この購入書類は、機器構造図、取替部品リスト、保全内容のデータ等のエビデンスに基づいて作成される。
【０００３】
機器構造図は、原子力発電所設備における機器の構造が描かれた図面である。また、取替部品リストは、機器メーカー推奨の取替部品データが記載されたリストである。保全内容は、機器の部品ごとの保全内容（分解点検、外観点検等）及び保全内容に対応する検知方法（分解点検ならば目視点検をするのか寸法点検をするのか等）をユーザによって独自に作成される。
【０００４】
作業員は、これらの書類を確認しながら取替部品に関する情報をピックアップして、購入書類を作成している。
【０００５】
また、従来、この種の技術としては、特許文献１に記載された技術がある。特許文献１によれば、担当者が、モバイル端末により、次回定期点検を行うプラント、対象システム及び定期点検時期を入力すると、手配支援サーバは、原子力プラント納入機器データベースから定期交換が必要な部品を割出し、納入年月を参照し、次回定期点検時に交換が必要となる部品リストを自動作成する、というシステムについて開示されている。
【先行技術文献】
【特許文献】
【０００６】
【特許文献１】特開２０００−２１４９１８号公報
【発明の概要】
【発明が解決しようとする課題】
【０００７】
特許技術１に開示された技術のように、次回定期点検時に交換が必要となる部品リストを自動作成するシステムを用いることにより、購入書類の作成に係る手間が軽減される。しかし、最終的には作業員が、部品の発注漏れがないように部品リスト以外のリストを確認し、取替部品に関する情報をピックアップする必要がある。このため、購入書類の作成に手間がかかる。
【０００８】
更に、取替部品リストは、実際の機器に対応させるために多くの項目を備えている。このため、取替部品リストにおいても大型化している。このように、作業員は、購入書類の作成にあたり、比較的大型の表を有する複数の書類を確認しながら作成するため、取替部品に関する情報のピックアップに手間がかかる。
【０００９】
本発明は、このような問題点を解決し、取替部品に関する情報のピックアップが容易に可能な取替部品管理具を提供することを目的とする。
【課題を解決するための手段】
【００１０】
前記目的を達成するため、本発明は、次に記載する構成を備えている。
【００１１】
（１）  原子力発電所設備における複数の部品からなる所定の機器の図面を表示する図面表示部と、当該機器で使用されている複数の部品にそれぞれ付された識別情報を、前記図面表示部に表示された前記部品に関連付けて表示する識別情報表示部と、前記識別情報と前記部品の名称とを関連付けて表示する部品情報表示部と、前記機器の複数の部品に対してそれぞれ実施される部品の取替作業を伴う複数の点検内容を表示する保全タスク表示部と、を共通の表示領域に配置してなる印刷物を備え、前記保全タスク表示部における前記点検内容に、複数の保全内容毎に異なる表示態様の識別表示が付されており、前記部品情報表示部における前記部品の名称に、当該部品の名称の部品に対応する前記保全タスク表示部に表示された前記点検内容に付された識別表示と同じ表示態様の識別表示が付されており、前記識別情報表示部における前記識別情報に、当該識別情報に関連付けられた前記部品の名称に付されている識別表示と同じ表示態様の識別表示が付されていることを特徴とする取替部品管理具。
【００１２】
（１）によれば、図面表示部、識別情報表示部、部品情報表示部及び保全タスク表示部が１枚の用紙に印刷されている。この印刷物において、保全タスク表示部に表示された点検作業に対応する部品情報表示部における部品の名称と、部品の名称に関連付けられている識別情報とが、複数の点検作業毎に異なる表示態様で表示されている。このため、作業員は、この１枚の印刷物を見ることによって、部品情報表示部から取替部品に関する情報を容易にピックアップすることが可能になる。
【００１３】
（２）  （１）において、前記識別表示は、色分けした表示態様であることを特徴とする取替部品管理具。
【００１４】
（２）によれば、同じ系統の取替部品を用紙から容易に見つけ出すことが可能になるため、例えば、購入書類の作成作業に係る時間の短縮化を図ることができる。また、種類が違っていても同じ系統の部品であれば、同じ業者に発注するといったことが可能になり、発注作業の効率化が図れる。
【００１５】
（３）  （１）、（２）において、前記機器の部品の名称に、部品の発注に必要なデータを関連付けてなる点検部品交換リストを表示する印刷物を更に備えることを特徴とする取替部品管理具。
【００１６】
（３）によれば、図面表示部において図示が困難な部品である場合に、その部品に関する各種の情報を点検部品交換リストから取得することが可能になる。
【発明の効果】
【００１７】
本発明によれば、取替部品に関する情報のピックアップが容易に可能なり、購入書類の作成に係る作業員の負荷を低減することが可能になる。
【図面の簡単な説明】
【００１８】
【図１】本発明の一実施形態における取替部品管理具１の概要を示す説明図である。
【図２】取替部品管理表１０の概要を示す説明図である。
【図３】取替部品管理表１０における図面表示部２０及び識別情報表示部３０の詳細を示す説明図である。
【図４】取替部品管理表１０における部品情報表示部４０の詳細を示す説明図である。
【図５】点検部品交換リスト１２の概要を示す説明図である。
【発明を実施するための形態】
【００１９】
以下、本発明の実施形態について、図面を参照しながら詳細に説明する。
【００２０】
図１は、本発明の一実施形態における取替部品管理具１の概要を示す説明図である。取替部品管理具１は、取替部品管理表１０と、点検部品交換リスト１２とを備えている。
【００２１】
取替部品管理表１０は、図面表示部２０と、識別情報表示部３０と、部品情報表示部４０と、保全タスク表示部５０とを備え、これらの表示部を一枚の用紙に印刷してなる印刷物である。
【００２２】
点検部品交換リスト１２は、取替部品管理表１０では表しきれなかった部品を含めて、取替部品をリストアップしたものである。
【００２３】
取替部品管理表１０及び点検部品交換リスト１２は、詳細については後述するが、機器構造図１００と、保全内容１０２と、取替部品リスト１０４とに基づいて作成される。
【００２４】
図２は、取替部品管理表１０の概要を示す説明図である。図面表示部２０は、原子力発電所設備における複数の部品からなる所定の機器の図面を表示するものである。具体的には、機器構造図１００に記載されている図面が図面表示部２０に表示される。
【００２５】
識別情報表示部３０は、所定の機器で使用されている複数の部品にそれぞれ付された識別情報３２と、識別情報３２に対応する部品から延びる引出線３４とを有しており、識別情報３２と図面表示部２０に表示された部品とが引出線３４によって関連付けて表示されている。
【００２６】
図３は、取替部品管理表１０における図面表示部２０及び識別情報表示部３０の詳細を示す説明図である。識別情報３２は、部品毎に付された固有番号と、この固有番号を囲む円形の枠とによって形成されている。
【００２７】
部品情報表示部４０は、図２、図４に示すように、識別情報３２の固有番号と、部品の名称と、材料名と、備考欄とを関連付けて表形式で表示するものである。部品の名称、材料名、及び備考欄に記載するデータは、取替部品リスト１０４、保全内容１０２、更に、図示しない先行機機器データ及び機器取扱説明書から抽出される。なお、先行機機器データとしては、例えば、１号機から３号機の原子力発電所設備があり、３号機が最新の設備であれば、それ以前から存在する１、２号機の機器のデータ及び他社プラントの機器のデータが先行機機器データとなる。機器取扱説明書は、機器の製造元が発行した説明書である。
【００２８】
保全タスク表示部５０は、部品に対して実施される分解点検における点検内容（以下、保全タスクと称する）の種類を表形式で表示するものである。この保全タスクには取替作業が伴っている。更に、保全タスク表示部５０においては、保全タスクの種類、言い換えれば取替作業の種類毎に色分けされている。
【００２９】
また、識別情報表示部３０の識別情報３２及び部品情報表示部４０の各表示項目は色分けされている。この色分けは、保全タスク表示部５０における保全タスク毎の色分けに対応しており、機器の部品に対応している保全タスク表示部５０で示す保全タスクに付された色と、前記機器の部品に示している識別情報表示部３０の識別情報３２及び部品情報表示部４０の部品の名称に対して同じ色の識別表示が行われている。
【００３０】
このように、取替部品管理表１０において保全タスク毎に色分けされているため、どの部品が取替対象であるか把握することが可能になり、部品情報表示部４０を見ることによって取替部品の情報を容易に認識することが可能になる。しかも、色によって、保全タスクの種類を把握することが可能になる。
【００３１】
次に、取替部品管理表１０について、図２を参照しながら具体的に説明する。図２の取替部品管理表１０は、原子炉補機冷却海水ポンプ機器に関するものである。
【００３２】
図面表示部２０には、機器構造図１００に記載されている原子炉補機冷却海水ポンプ機器の図面が表示される。
【００３３】
識別情報表示部３０には、図面表示部２０に記載されている原子炉補機冷却海水ポンプ機器の部品から延ばした引出線３４と、引出線３４の端部に記載した識別情報３２とが表示される。なお、本実施形態における固有番号として、機器構造図１００において部品毎に付した番号が適用されている。
【００３４】
保全タスク表示部５０には、まとめ表保全タスクという項目が設けられており、この項目に対応付けて具体的内容が表示される。本実施形態によれば、まとめ表保全タスクとして、分解点検（ガスケット取替）、分解点検（Ｏリング取替）、消耗品取替、その他の４種類が表示されている。また、保全タスク表示部５０において、分解点検（ガスケット取替）の表示欄は「赤」、分解点検（Ｏリング取替）の表示欄は「黄」、消耗品取替の表示欄は「緑」、外観点検の表示欄は「青」に色分けされている。
【００３５】
部品情報表示部４０には、取替部品リスト１０４の記載に基づく原子炉補機冷却海水ポンプ機器の部品名及び材質が記載され、更に部品名に対応する識別情報３２の固有番号が記載されている。
【００３６】
更に、部品情報表示部４０においては、保全タスク表示部５０に記載されている保全タスクに応じて色分けされている。すなわち、部品情報表示部４０に記載されている部品において、取替対象となる部品については、保全タスク表示部５０において色分けされたいずれかの色（赤、黄、緑、青）が塗りつぶされており、取替対象ではない部品については、色分けされていない（白）。
【００３７】
また、識別情報表示部３０においては、部品情報表示部４０における固有番号と同一のる固有番号が記入されている識別情報３２における円形枠が、部品情報表示部４０における固有番号が記入されている欄の色と同色に塗りつぶされている。
【００３８】
このように取替部品管理表１０は、保全タスク表示部５０における保全タスクに関連付けられている部品情報表示部４０における部品の名称と、部品の名称に関連付けられている識別情報３２とが、保全タスク表示部５０に記載された複数の保全タスクの種類内容毎にグループ分けされており、これらがグループ単位で色分けされている。
【００３９】
これにより、作業員が取替部品管理表１０を視認することにより、どの部品が取替対象であり、どのような保全タスクであるかを簡単に把握することが可能になる。例えば、部品情報表示部４０を視認することにより、識別情報３２の固有番号が「１０１３４」の部品が保全対象であり、「黄」に色分けされているため、保全タスクが分解点検で、Ｏリング取替を行うことが把握できる。更に、図面表示部２０を視認することにより、固有番号が「１０１３４」の部品が機器においてどの部位にあるのか容易に把握することが可能になる。
【００４０】
以上説明したように構成された本実施形態によれば、図面表示部２０、識別情報表示部３０、部品情報表示部４０及び保全タスク表示部５０が１枚の用紙に印刷されている。この印刷物において、保全タスク表示部５０に表示された保全タスクに対応する部品情報表示部における部品の名称と、部品の名称に関連付けられている識別情報とが、複数の点検作業毎に異なる表示態様で表示されている。このため、作業員は、この１枚の印刷物を見ることによって、どの部品が取替対象であるか把握することが可能になり、部品情報表示部４０から取替部品に関する情報をピックアップすることが容易に可能になる。
【００４１】
また、本実施形態によれば、保全タスクの種類に応じて色分けしているために、同じ系統の取替部品を用紙から容易に見つけ出すことが可能になるため、例えば、購入書類の作成作業に係る時間の短縮化を図ることができる。また、種類が違っていても同じ系統の部品であれば、同じ業者に発注するといったことが可能になり、発注作業の効率化が図れる。
【００４２】
図５は、点検部品交換リスト１２の内容を示す説明図である。点検部品交換リスト１２は、連続番号と、部品の名称と、部品図又は略図と、部品の個数と、部品の材質と、機器構造図１００の図番と、機器構造図１００に表示された部品の番号と、部品の交換周期と、点検内容と、部品の標準納品と、備考とを関連付けてなるリストである。構造図の番号は、取替部品管理表１０の識別情報３２に対応している。備考には、使用される部分に関する情報が記載される。なお、図５においては部品図又は略図の図示を省略する。
【００４３】
これにより、作業員が取替部品管理表１０の図面表示部２０において図示が困難な部品である場合に、その部品に関する各種の情報が点検部品交換リスト１２から取得することが可能になる。
【００４４】
ところで、取替部品管理表１０及び点検部品交換リスト１２は、コンピュータによって作成され、コンピュータからの取替部品管理表１０及び点検部品交換リスト１２のデータに基づいてプリンタによって印刷された印刷物である。
【００４５】
コンピュータには、取替部品管理表１０及び点検部品交換リスト１２を作成するためのソフトウェアが導入されており、このソフトウェアの起動することにより、コンピュータは、取替部品管理表１０及び点検部品交換リスト１２を作成するための装置としての機能を果たすようになる。また、プリンタは、大型の用紙が印刷できる機能を備えたものであることが望ましい。
【００４６】
また、機器構造図１００と、保全内容１０２と、取替部品リスト１０４と、更に図示しない先行機機器データと、機器取扱説明書とは、電子データとしてコンピュータに記憶されており、特に、保全内容１０２及び取替部品リスト１０４は、表計算ソフトウェアによって作成されている。
【００４７】
そして、取替部品管理表１０を作成する際には、作業員がコンピュータを操作して、機器構造図１００のデータから必要な図面データを取得して、ディスプレイに表示される作成画面上に貼り付け、更に、引出線３４や識別情報３２を記入する。更に、保全内容１０２及び取替部品リスト１０４から必要なデータを取得して部品情報表示部４０を作成し、保全内容１０２から保全内容のデータを取得して保全タスク表示部５０を作成して作成画面上に貼り付ける。最後に、保全タスク表示部５０に記載された複数の保全内容毎にそれぞれ対応するグループを色分けすることによって取替部品管理表１０が作成される。
【００４８】
なお、識別情報３２をマウス等の入力装置を操作して画面上でクリックすることにより、固有番号を囲む円形枠の色を変化させる機能を持たせてもよい。また、複数の円形枠を整列させる機能をもたせてもよい。これにより、取替部品管理表１０の作成作業を効率的に行うことが可能になる。
【００４９】
点検部品交換リスト１２を作成する際には、作業員がコンピュータを操作して、機器構造図１００から部品の図面を取得し、ディスプレイに表示される作成画面上の所定の箇所に貼り付ける。更に、保全内容１０２及び取替部品リスト１０４から必要なデータを取得して、ディスプレイに表示される作成画面上の所定の箇所に貼り付ける。これにより、点検部品交換リスト１２が作成される。
【符号の説明】
【００５０】
１  取替部品管理具
１０  取替部品管理表
１２  点検部品交換リスト
２０  図面表示部
３０  識別情報表示部
３２  識別情報
３４  引出線
４０  部品情報表示部
５０  保全タスク表示部
【図１】
2015055557.tif 000003
【図２】
2015055557.tif 000004
【図３】
2015055557.tif 000005
【図４】
2015055557.tif 000006
【図５】
2015055557.tif 000007